(57)【要約】スポーツ競技の結果に投資される賭けの情報セットの変化をモニタリングする方法であって：（ａ）本人が、リアルタイムで活動をモニタリングするサービスを提供するサービスプロバイダーと契約を結ぶステップと、（ｂ）サービスプロバイダーが少なくとも１台のコンピューターを使って、あらかじめ決められた情報セットをモニタリングするステップと、そして（ｃ）サービスプロバイダーは変化が起こった時、リモートコミニケーション装置（ＲＣＤ）を経由して本人へリアルタイム警報メッセージを提供するステップ、とからなる該方法。
2006527869.tif 000002
【特許請求の範囲】
【請求項１】
スポーツ競技の結果に投資された賭けの情報の組の変化をモニタリングする方法であって：
ａ．本人が、リアルタイムで活動をモニタリングするサービスを提供するようにサービスプロバイダーと契約を結ぶステップと、
ｂ．サービスプロバイダーが少なくとも１台のコンビューターを使って、あらかじめ決められた情報の組をモニタリングするステップと、
ｃ．サービスプロバイダーが変化が起こった時、リモートコミニケーション装置（ＲＣＤ）を経由して本人へリアルタイム警報メッセージを提供するステップ、からなる方法。
【請求項２】
サービスプロバイダーは、賭け活動をモニターするために集計機業者のデーターベースを利用する請求項１に記載の方法。
【請求項３】
リモートコミニケーション装置（ＲＣＤ）は、本人の固定又は移動電話機、パーソナルコンピューター又はファクシミリ又は本人のページャーからなる請求項１の方法。
【請求項４】
本人のＲＣＤは入力指令をサービスプロバイダーのコンビューターシステムネットワーク上で動いているソフトウェア環境へ入力指令に応答して送るために使用することができるソフトウェアコンポーネントを備えており、該ソフトフェアコンポーネントは該指令を処理し、そしてサーバー構造へ局所入力指令を発することによって応答するソフトウェア環境コンポーネントへ局所入力指令を送り、サーバー構造は次に本人のＲＣＤへリモート出力指令を送り、そして該リモート出力指令に応答してＲＣＤは警報を発しまたはディスプレーする請求項１に記載の方法。
【請求項５】
本人は、警報メッセージの発せられる状況パラメーターを定義できる請求項１に記載の方法。
【請求項６】
サービスプロバイダーはスポーツ競技の結果に投資された賭け情報のセットをモニターするために、コンピューターのネットワーク又はコンピューターシステムを使用する請求項１に記載の方法。
【請求項７】
ネットワークは、スポーツ競技の結果に投資されたリアルタイム情報の組を含んでいる情報を賭け業者のデーターサーバーへ及びサーバーから情報を送ったり受け取ったりするために適合させられている請求項５の方法。
【請求項８】
あらゆるコンピューターへデーターを提供する目的で少なくとも１つの歴史サーバーを提供するステップをさらに含み、該歴史サーバーはデーターを外部情報源から二度以上決っして要求する必要がないように、すべての情報の組が利用可能になった時スキャニングし、歴史サーバーは同じ情報を多数回要求する必要を防ぐためにデーターベースの中へデーターを蓄積する請求項１の方法。
【発明の詳細な説明】
【技術分野】
【０００１】
本発明は、クレジットカード活動と移動通信における情報技術を組合わせたモニタリングシステムに関する。また、本発明は、活動モニタリングと移動通信における情報技術を組合わせたモニタリングシステムに関する。
【背景技術】
【０００２】
多くの組織および個人は、商品及びサービスを得るために定期的にクレジットカードを使用する。
【０００３】
現金又はクレジット取引に関して技術及びセキュリティシステムが進歩しているにもかかわらず、行われている段階でクレジットカード詐欺を見破る経済的手段の必要性が残っている。
【０００４】
オーストラリアだけでも、クレジットカード詐欺は１年につき総額１億４千万ドルにのぼり、クレジットカード保有者や金融機関などに多大な迷惑を引き起こしている。
【０００５】
アジアでは、クレジットカード詐欺は１年につき１０億ドルを超えていると報告されている。
【０００６】
最も不正な取引は、ネット上又は電話により商品又はサービスの注文が出された場所でカードの不存在から起こる。
【０００７】
不正取引の大多数は、小額に対してである。しかしながら、蓄積による損失は一般に、利息を伴なって高いコストをカード保有者へ負担させる。
【０００８】
銀行は取引パターンを走査し、パターンが不当に変更された時はカード保有者に接触し、そして、もしカード保有者が銀行と接触していなければクレジットカードの回線がキャンセルされるであろうことを警告するであろうが、このタイプのセキュリティは、特に、もしその取引が休日中であったり、いかなる銀行の連絡に対して応答できないカード保有者によるものであると、しばしば失敗となり得る。
【０００９】
大半のカード保有者は、彼らの口座へ適用する制限について銀行へ指令することができ、そしていくらかの顧客はこのようにセキュリティの質を高めるために彼らの使用パターンを銀行へ知らせることができる。
【００１０】
ギャンブル市場は、相互に作用する代理人から構成される経済的なシステムである。その発生メカニズムは、集計機、異なるタイプの競争者や種々の確率評価からなる。そのようなシステムは多く実行可能な構成があるので、絶え間ない目新しさをもつ。そのギャンブル市場の流動性及び規則性は、持続性、非持続性のそして不規則な動態の混在を見せているようである。各々の競争は、代理人の要求により付けられた市場価格及び本来の価格を備えている各競技者のゲームである。市場価格は集計機のオッズに反映されており、そして１つの確率評価である。予想される結果（市場価格）と実際の結果（本来の価格）とが平衡している時、そのような競争に参加する代理人は利益を追求する。したがって、代理人の相互作用は、競争原理経済に参加する目的でリスクと見返りを評価する。市場規模は、各競技の開始への接近中に成長するので、種々の確率値は市場の隅々にまで絶え間なく伝達される。
【００１１】
競馬場での賭けや株式市場での投資は、いくつかの共通の性質を持つ。両方のケースにおいて、将来のもうけは不確実であり、数多くの参加者がおり、そして大量の情報が投資変動に関して提供される。レース結果に対する賭けは、通常集計機を介して実施される。集計機画面は、公衆のオッズ優先性を反映する、与えられた競技における各競技者のために第１着や着順配当を表示する。特定の競技における競技者の特定の組のための賭け金は、賭け金プールを形成し、それから懸賞金が最初に差し引かれる。集計機配当は定期的に更新され、そしてオーストラリアにおいては各競技者のために第１着や着順の払い戻し金を示す。公衆による賭けの過程は競技の開始まで絶え間なく続くイベントであるが、計算機配当金は別々の間隔で発生する。したがって、集計機画面は、別々に更新されるイベントの締め切られたセットを全体として表わし、それは各競技者の第１着又は着順機会の市場判断を反映する。
【００１２】
集計機は与えられた競技における各競技者のために第１着又は着順に対する価格を設定する。これらの価格または配当は、賭けをする公衆（市場）が各自の１着または着順をどの程度信頼できると考えるかによって変動する。従って、この集計機は相互作用するフィードバックシステムの良い例であり、そこでは公衆からの情報が個別のステップで遅れずに導入される。そのようなシステムは、離散系動的システムと呼ばれている。特定の競技の結果に対して金を賭けるみちは、熱狂的で連続的のように見えるけれども、重要なポイントは集計機は離散した時間のステップの中でこの情報を表示することである。オーストラリアにおいて集計機情報は、配当金（１ドルにつき）の形態で第１着又は着順へ与えられる。出走予定時刻への先導において、時には著しく大きな揺れを伴なって配当金が変動することはよくある。利益のために、そのようなゲームの結果を予想することには、一又はそれ以上の競技者より先立たせることを含む。
【００１３】
賭けを他人との競争に置くことから導かれる可能性ある利得を最大にするか、または可能性ある害を最小にするための種々のルールが提案されている。競馬分野におけるこれらのルールの例としては以下のものがある。
【００１４】
ルールＮｏ．１−あなたの楽しめるレベル内で賭けよ−学ぶべき教訓はそれであなたが楽しめる額だけを賭けることである。あなたが損失を取り返すことができない金を決して賭けるな。
ルールＮｏ．２−いつも明日がある。
ルールＮｏ．３−勝つ時は賭け金をふやし、負ける時は減らせ。
ルールＮｏ．４−あなたがしていることおよび成果の成功度を長期間にわたり判断せよ。記録を維持せよ。
ルールＮｏ．５−競馬場又は用意された集計所掲示板へ行け。
ルールＮｏ．６−安価な人気馬に近づくな。勝つために安価な人気馬に賭けることは時間の浪費であり、あなたを貧しい家へ導くであろう。
ルールＮｏ．７−一つのタイプの予想システムまたは思考教室のとりこになるな。成功する予想屋であるためにはあなたの思考において柔軟でなければならず、いつでも調節しようとしなければならない。スピード数字、歩足数、ビデオ解説、血統分析、格付けなど、すべてがそれらの持ち場を持っている。
ルールＮｏ．８−最後の数分まで賭けを待て−競技があなたの方へ来るようにせよ。集計ボートを見つめよ。あなたの賭ける戦略を案出せよ。トラック上の馬をみつめよ。
ルールＮｏ．９−あなたが賭ける前に、それが賢い賭けかどうかあなた自身に問い掛けよ。
ルールＮｏ．１０−“内部情報”を聞いたり信じるな。
競技の中の競争者に最後の１分間の飛び込みが本人によってなされることがしばしば観察される。これらの場合、歴史的情報はこれらの本人が平均的な人が気が付いていない情報を持っていることを示唆する。本人賭け屋達は集団または他の本人に情報を知らせ、それにより彼等に優る利益を得ることを欲しないため、一般的にその特定の競技に賭け締め切り直前に参加する。
もし、平均的な本人が賭け傾向や特に最後の数分間の飛び込み賭け統計を吟味することができたならば、彼らは飛び込み賭けにより証明される追加の情報から利益を得ることができるかもしれない。
【発明の開示】
【００１５】
本発明の目的は、クレジットカード詐欺、特にカードが存在しない場合の詐欺を減らすセキュリティシステムを提供することである。
【００１６】
本発明の一面の目的は、情報セットにおける変化からの可能性のある損失を制限するか又は可能性のある利得を最大化するため、情報セットの変化をモニタリングする方法を提供することである。
【００１７】
本発明のさらなる目的及び利益は、例示のために提供される以下の記述から明らかになるであろう。
【００１８】
本発明の一面によれば、クレジットカードの使用をモニタリングし及び確認する方法が提供され、その方法は、
（ａ）クレジットカード保有者又は本人がリアルタイムでクレジットカードの活動をモニタリングするサービスを提供するサービスプロバイダーと契約を結ぶステップと、
（ｂ）サービスプロバイダーが少なくとも１台のコンピューターを使ってクレジットカードの活動をモニタリングするステップと、そして
（ｃ）サービスプロバイダーが、リモートコミニケーション装置（ＲＣＤ）を経由してカード使用者へリアルタイムメッセージを提供するステップ、からなる。
【００１９】
リモートコミニケーション装置（ＲＣＤ）は、本人の固定又は移動電話機、本人のパーソナルコンピューター又は本人のファクシミリ、又はページャーからなることができる。すべてのこれらの装置及びリストに挙がっていないがリモートコミニケーション装置として含まれる他のものは、通常ソフトウェアコンポーネントを備えることができる。
【００２０】
個々のクレジットカードの使用に関する情報は、データー供給の一部を形成する。カードが使用される時、その取引に関する情報は普通はクレジット代理店又は銀行である中心点へ伝達される。その時情報は銀行又はクレジット代理店のデーターベースの中に貯えられる。
【００２１】
カード保有者は、送られるべき警報の基準を本人へ通報することができる。
【００２２】
カード保有者のＲＣＤソフトウェアコンポーネントは、入力指令をサービスプロバイダーのコンピューターシステムネットワーク上で稼動しているソフトフェア環境へ送るために使用することができる。
【００２３】
入力指令に応答して、ソフトフェア環境は局所入力指令をソフトウェア環境コンポーネントへ送り、そのコンポーネントはカード保有者のＲＣＤへリモート出力指令を送るサーバー基盤へ局所的出力指令を発することによって応答する指令を処理する。
【００２４】
リモート出力指令に応答して、ＲＣＤはＲＣＤ上又はＲＣＤへ警報出力を発生又は表示させる。
【００２５】
複数の統合されかつ関連付けされたシステムを情報伝達を達成するために提供することができる。
【００２６】
情報伝達のためのシステム及び関係は、以下のとおりである。
【００２７】
（ｉ）インターネットソフトウェアから、ＷＡＰが電話機又は移動入力装置を可能化する。
カード保有者はリモートコミニケーション装置からメッセージ又は指令を送る。これは一般に中央データーサーバーへ向けられるが、スキャニングシステム及び／又はスイッチボックスを通過し、又は代行受信されなければならない。スイッチボックスは、中央データーサーバーネットワークの一部を形成してもよい。
メッセージはカード保有者の監視をセットアップする方法についての情報をモニターすべき活動のタイプ、それにカード使用の規則正しいパターンに関する情報、特定のデーター又はログイン情報の要求を含み得る。
【００２８】
（ｉｉ）スキャニングシステムは、通常、そのシステムへ接続された又は接続しているあらゆるコンピューター又は装置から送られる全てのメッセージを受け取ることができる。
スキャニングシステムは、通常、少なくとも１つで実行するが、一般的には中央データーサーバーへ要求又は提供された情報についてセキュリティテストの少なくとも1つ、しかし一般にはそれらのセットを実行する。これらのテストは、通常、セキュリティプロトコルと呼ばれる。もし、要求又は提供された情報がセキュリティプロトコルの領域内にあれば、スキャニングシステムは中央データーサーバーにより保有又はアクセスされたデーターの無許可の操作を防止する確かなレベル（許可レベル２）へアクセスするのを許可することができる。
一旦許可レベル２へのアクセスが許可されると、情報は処理されるためにスイッチボックスへ向けられてもよい。
スイッチボックスの機能は：
（１）特定の指令又は監視を処理するために、ネットワークの内で最も忙しくない遊んでいるコンピューターを見つけること；
（２）警報がカード保有者のコンピューター又は移動ハンドセットへ送られるようにＳＭＳ（ショートメッセージサービス）へ導くこと；
（３）要求された情報を遊んでいるコンピューター間へ送ること；
であることができる。
スイッチボックスはシステムの中枢であってもよい。通常、それは中央データーサーバー内で遊んでいる各コンピューターに対して作業を割り当て、そしてまた通常は、警報メッセージの解除及びシステムの要素間での情報の交換に対する責任も負う。
【００２９】
（ｉｉｉ）ネットワークの一部としての遊んでいるコンピューターシステムは、各自ＴＣＰ／ＩＰプロトコル（インターネットプロトコル）を使用してローカルエリアネットワークを経由して接続される。遊んでいるコンピューターは、ネットワーク及び／又はクレジットカード代理店データーサーバーと銀行データーサーバーを形成するように互いに直接接続される。遊んでいるコンピューターは、好ましくは以下の２つの主な目的を有するこができる。
（１）カード保有者がサービスから要求したデーターを受け取り、処理し、および返還すること、そして
（２）繰り返しカード保有者が要求した“監視データー”（カード保有者の移動機器又はＲＣＤへ送られる、警報をトリガするために、カード保有者によるイベントセット）を計算すること。
【００３０】
（ｉｖ）コミニケーションサーバーソフトウェアは、スイッチボックスを通った遊んでいるコンピューターからのメッセージを受け取る。
一旦、コミニケーションサーバーソフトウェアがメッセージを受け取ると、コミニケーションサーバーは対応しているカード保有者のデーター（すなわち、電話番号、氏名）を見つけ、そしてメッセージとメッセージを送るための正しい電話番号をＳＭＳコミニケーション装置へ送る。
【００３１】
（ｖ）ＳＭＳコミニケーション装置は、コミニケーションサーバーからメッセージを受け取り、そしてそれをリモートコミニケーション装置へ放送する。
本発明の第２の形態によれば、ある情報セットにおける変化をモニタリングする方法を提供し、その方法は、
（ａ）本人がリアルタイム活動モニタリングサービスを提供するようにサービスプロバイダーと契約を結ぶステップと、
（ｂ）サービスプロバイダーが少なくとも１台のコンピューターを使って予め定めた情報のセットをモニタリングするステップと、そして
（ｃ）サービスプロバイダーがリモートコミニケーション装置（ＲＣＤ）を経由してリアルタイムメッセージを本人へ提供するステップ、からなる。
【００３２】
特に好ましい具体例によれば、本発明は競馬、スポーツ競技等のような部分的には不確定な結果を伴なう一又はそれ以上のイベントの賭けの統計をモニターするために使用することができる。普通これらのイベントはそれに加わる競争者、例えば競馬における馬及び／又はジョッキーに関する情報、およびチームスポーツにおけるチームの歴史的成績を持っている。
【００３３】
典型的には、サービスプロバイダーは活動をモニターするための２台以上のコンピューターのネットワークを使用することができる。全体としてネットワークは中央データーサーバーと称されてもよく、通常は遊んでいる多数のコンピューターからなる。
【００３４】
イベントに賭けられた賭けに関する情報は、データー供給の一部を形成してもよい。賭けが賭けられた時、賭けに関する情報は、中心点、通常集計機ボード（ＴＡＢ）コンピューター又はコンピューターネットワーク又はデーターベースへ伝達される。その時、情報はＴＡＢデーターベースの中に蓄積される。
【００３５】
リモートコミニケーション装置（ＲＣＤ）は、本人の固定又は移動電話機、パーソナルコンピューター又はファクシミリ又はページャーから構成できる。すべてのこれらの装置及びリストに挙がっていないがリモートコミニケーション装置として含まれる他のものは、通常、ソフトウェアコンポーネントを備えることができる。
【００３６】
本人は、送られるべき警報の基準をサービスプロバイダーへ通報することができる。典型的には、本人は、特定の競技、特に本人が賭けることに関心ある競技の競争者へ最後の数分間の飛び込みを本人へ知らせる警報が送られるように要求することができる。
【００３７】
本人のＲＣＤソフトウェアコンポーネントは、入力指令をサービスプロバイダーのコンピューターシステムネットワーク上で動いているソフトウェア環境へ送るために使用することができる。
【００３８】
入力指令に応答して、ソフトウェア環境は局所入力指令をソフトウェア環境コンポーネントへ送り、そのコンポーネントはリモート出力指令を順番に本人のＲＣＤへリモート出力指令を送るサーバー基盤へ局所出力指令を発することにより応答する指令を処理する。
【００３９】
リモート出力指令に応答して、ＲＣＤはＲＣＤ上又はＲＣＤへ警報出力を発生又は表示させる。
【００４０】
複数の統合されかつ関連付けされたシステムを情報伝達を達成するために提供することができる。
【００４１】
情報伝達のためのシステム及び関係は、以下のとおりである：
（ｉ）インターネットソフトウェアから、ＷＡＰが電話機又は移動入力装置を可能化する。
本人はリモートコミニケーション装置からメッセージ又は指令を送る。それは一般に中央データーサーバーへ向けられるが、スキャニングシステム及び／又はスイッチボックスを通過し、又は代行受信されなければならない。スイッチボックスは、中央データーサーバーネットワークの一部を形成してもよい。
メッセージは本人の監視をセットアップする方法についての情報、モニターすべき活動のタイプ、それに賭けの規則正しいパターンに関する情報、特定のデーター又はログイン情報の要求を含むデーターを含むことができる。
【００４２】
（ｉｉ）スキャニングシステムは、通常、そのシステムへ接続された又は接続しているあらゆるコンピューター又は装置から送られる全てのメッセージを受け取ることができる。
スキャニングシステムは、通常、少なくとも１つで実行するが、一般的には中央データーサーバーへ要求又は提供された情報についてセキュリティテストの少なくとも１つ、しかし一般的にはそれらのセットを実行する。これらのテストは、通常セキュリティプロトコルと呼ばれる。もし、要求又は提供された情報がセキュリティプロトコルの領域内にあれば、スキャニングシステムは中央データーサーバーにより保有又はアクセスされたデーターの無許可の操作を防止する確かなレベル（許可レベル２）へアクセスするのを許可することができる。
【００４３】
一旦許可レベル２へのアクセスが許可されると、情報は処理されるためにスイッチボックスへ向けられてもよい。
スイッチボックスの機能は：
（１）特定の指令又は監視を処理するために、ネットワーク内で最も忙しくない遊んでいるコンピューターを見つけること；
（２）警報が本人のコンピューター又は移動ハンドセットへ送られるようにＳＭＳ（ショートメッセージサービス）へ導くこと；
（３）要求された情報を遊んでいるコンピューター間へ送ること；
であることができる。
スイッチボックスはシステムの中枢であってもよい。通常、それは中央データーサーバー内で遊んでいる各コンピューターに対して作業を割り当て、そしてまた通常は、警報メッセージの解除及びシステムの要素間での情報の交換に対する責任も負う。
【００４４】
（ｉｉｉ）ネットワークの一部としての遊んでいるコンピューターシステムは、各自ＴＣＰ／ＩＰプロトコル（インターネットプロトコル）を使用してローカルエリアネットワークを経由して接続される。遊んでいるコンピューターは、ネットワーク及び／又はＴＡＢデーターサーバーと銀行データーサーバーを形成するように互いに直接接続される。遊んでいるコンピューターは、好ましくは以下の２つの主な目的を有することができる。
（１）本人がサービスから要求したデーターを受け取り、処理し、そして返還すること、そして
（２）繰り返し本人が要求した“監視データー”（本人の移動機器又はＲＣＤへ送られる、警報をトリガするために本人によりセットされるイベント）を計算すること。
【００４５】
（ｉｖ）コミニケーションウェアは、スイッチボックスを通った遊んでいるコンピューターからのメッセージを受け取る。
一旦、コミニケーションサーバーソフトウェアがメッセージを受け取ると、コミニケーションサーバーは対応している本人のデーター（すなわち、電話番号、氏名）を見つけ、そしてメッセージとメッセージを送るための正しい電話番号をＳＭＳコミニケーション装置へ送る。
【００４６】
（ｖ）ＳＭＳコミニケーション装置はコミニケーションサーバーからメッセージを受け取り、そしてそれをリモートコミニケーション装置へ放送する。
本発明の代替具体例において、１又はそれ以上の“歴史サーバー”を追加することができ、その目的はネットワークに接続されたあらゆるコンピューターへデーターを提供することにある。
歴史サーバーはデーター供給へのゲートウェイとして機能できるような位置にある。
歴史サーバーは、データー供給から出て来るデーターが送られて来る時、そのすべてをすくい上げ、そのためデーターを外部ソースから２回以上要求する必要がない。一旦データーがデーター供給から又はＴＡＢデーターベースから収集されると、歴史サーバーは同じ情報を多数回要求する必要を防ぐために、それ自身のデーターベースの中へデーターを蓄積できる。
ネットワークへ接続された全てのサーバーは、歴史サーバーからそれらのデーターを要求する。
遊んでいるコンピューターはもはやデーター供給へ直接接続されないが、その代りとしてスイッチボックスへ接続され、そしてスイッチボックスを通して新しい歴史サーバーからそれらのデーターを要求することができる。
中央データーの蓄積が歴史のサーバーにより作られるデーターベースを収容するために作られてもよい。
その時、システムに接続された各々の歴史サーバーは、ネットワークの隅々までつながりを残すために（他のコンピューター上に配置された）これらのデーターベースを使用することができる。
【発明を実施するための最良の形態】
【００４７】
今や本発明の局面が添付図面を参照して詳細に述べられるであろう。
図面の図１に関し、要素１は中央データーサーバーへ向けられたメッセージを送るが、メッセージはスキャニングシステム２及び／又はスイッチボックスにより代行受信される。メッセージは、見るためのデーターの種類又はカード保有者の使用パターンへ追加するための指標の種類に関する。
【００４８】
要素２、すなわちスキャニングシステムは、インターネット、ＷＡＰ可能化電話機又は移動入力装置からメッセージを受け取る。その時、それは伝達されるか又は要求された情報が許可された情報であるか否かを確かめるために、セキュリティプロトコルをメッセージへ適用する。もし、セキュリティプロトコルが満足されれば、メッセージは許可レベル２へ送られ、そして続行することが許される。
【００４９】
メッセージは、スキャニングシステムの一部として概略的に示されたスイッチボックスへ前進する。その時スイッチボックスは最も忙しくない遊んでいるコンピューターを中央データーサーバーネットワーク内で見つけ、そしてそのコンピューターへ処理させるためにメッセージを送る。
【００５０】
また、スイッチはコミニケーションサーバー、遊んでいるコンピューター及びリモートアクセスのログイン及びログオフも処理する。
【００５１】
要素３は、ネットワーク（ＬＡＮ）を介して接続されているコンピューターのシリーズであり、またはクレジットカード代理店データーサーバー、銀行データーサーバー及びスイッチシステムも接続されている中央データーサーバーを表わしている。
【００５２】
遊んでいるコンピューターは、カード保有者から（スイッチを経由して送られる）メッセージを処理する。これらのメッセージは、不規則性に関し使用パターンをモニターするための要求である。その時遊んでいるコンピューターはデーターがそれへ提供されたデーターを解析し、そしてカード保有者の選ばれた使用パターン（過去及び現在の両方）をデーターへ適用する。もし、データーが肯定的な応答（例えば、現在の使用が不規則である）を導き出したなら、遊んでいるコンピューターはメッセージを、その時それをコミニケーションサーバーへ送るスイッチボックスへ送る。
【００５３】
要素４からのデーターは、クレジットカード代理店のデーターサーバー又は銀行のデーターサーバーから遊んでいるコンピューターへ供給される（遊んでいるコンピューターによりそうするように要求された時）。
【００５４】
要素５は、スイッチボックスを通ったメッセージを遊んでいるコンピューターから受け取る。
【００５５】
メッセージは、どの電話機又はリモートコミニケーション装置がメッセージを送るかを見つけるようにコミニケーションサーバーへ告げる。
【００５６】
その時、コミニケーションサーバーは、適切なコミニケーションサーバーへ接触し、そして適切な警報を送るようにそれへ伝える。
【００５７】
要素６は、コミニケーションサーバーからメッセージを受け取り、そしてメッセージをコミニケーションサーバーから送られるリモートコミニケーション装置の識別番号へ放送する。
【００５８】
図１と図２に描かれた本発明の具体例の間の主な違いは、要素４と、そしてシステムがそれへ接続され、そして引き出されたデーターのプールである。図１に描かれたシステムによれば、要素４からのデーターは、クレジットカード代理店のデーターサーバー又は銀行のデーターサーバーから供給されるのに対して、図２に描かれたシステムによると、要素４からのデーターは、集計エージェンシーデーターサーバーから遊んでいるコンピューターへ供給される（遊んでいるコンピューターによりそうするように要求された時）。
【００５９】
図３に関し、内部サーバー構造を図示し、以下に述べられるコンポーネントから構成することができる。
【００６０】
ゲートウェイ：ゲートウェイはインターネットへ直接接続された２つの部分の１つである。ゲートウェイは、カード保有者及びネットワーク機器がそれらの適切なサーバーへ接続されるのを許容する。
【００６１】
ガーディアン：ガーディアンはネットワーク上の全ての主要サーバーの軌道を守り、主要サーバーは与えられる場所の範囲内で単独である。また、ガーディアンは負荷マネージメントツールおよび管理ツールからの少量のデーターをルーチングおよび処理のため直接スイッチボックスへ集中させる能力を有する。
【００６２】
警報マネージャー：警報マネージャーは全ての作られた警報を貯えそして最も忙しくない遊んでいるコンピューターへ分配する。
【００６３】
管理ツール：管理ツールは、第３者アドミニストレーターをシステムへ接続し、そしてシステム残部の周辺のデーターの流れを中断することなく、編集、除去又はカード保有者の追加を許容する。
【００６４】
ＩＮＳ：ＩＮＳは、カード保有者の氏名、パスワード及び金融上のデーターを含むカード保有者の詳細のすべてを蓄積する。ＩＮＳはネットワークのサービスプロバイダー側からの要求専用サーバーであり、その内部データーは管理ツールからのみ変更することができる。
【００６５】
スイッチ：スイッチサーバーは、情報パケットをあるサーバーから他のサーバーへルートするルーティング装置である。あらゆるスイッチの主な仕事は、その目的地へ到着する前に多数の間違ったサーバー間の交通飛び跳ねをなくすようにネットワークを守ることである。また、スイッチボックスは、それに接続されているネットワークのコンポートネントへ“負荷バランスをとる”ことを適用するためにも使用される。
【００６６】
歴史クライアント：歴史クライアントは、取引がクレジットカードでなされる時いつでも貯えられるクレジットカード使用データーの巨大なデーターベースを含んでいる。歴史クライアントは、それが内部サーバーであれ又は外部装置であれ、要求している相手方へそれ自身からデーターを供給する要求専用クライアントである。
【００６７】
警報クライアント：警報クライアントは、システム上で現在作動している警報のために数学的な計算のすべてを行う。警報クライアントは、歴史クライアントからデーターを要求し、そしてそのデーターを一連のイベントを通して処理する。警報クライアントは、出力サービスを経由して送られる最終の警報を発生させる責任を負う。
【００６８】
出力サービス：出力サービスは、コンピューターのネットワークを出力と装置へ接続するネットワーク接続ソフトウェアとハードウェアである。
【００６９】
本発明には２つの主要利益がある。
（１）クレジットカード使用解析指示はカード保有者の過去又は現在の動向に適用することができ、そして指示がどのようにカード保有者へ知らせるように設計されていたとしても、カード保有者が熟考する必要なく、実施するように“指示された”信号をカード保有者へ知らせることができるプログラムを搭載する。
（２）クレジットカード使用解析指示は一定の時間の間に“反復”し終えるようにセットすることができ、そして“イベント”が起った時、カード保有者がどこへいようともワイヤレス又は非ワイヤレス技術を介してカード保有者に警告するように報じさせることができる。
【００７０】
上述した利益をもたらすシステムの特徴は以下のとおりである。
（１）システムは事実上、全時間、全日、毎日アクセすることができ、かつ活動する。
（２）システムは、より速く若干の異なる又は関連するパラメーター及び／又は特定のパターンをクレジットカード使用データーへ適用することができる。
（３）システムは、その解釈結果において正確であり、かつ数学的である。
（４）システムは、“用意”及び“実行”するように設計することができる（例えば、カード保有者はそれらの指示をセットアップし、そしてストップするように告げられるまで警報されることができる）。
【００７１】
本発明の局面が例示としてのみ述べられてきたが、その範囲から逸脱することなくそれらに改良及び付加を加えることができることが認められるであろう。
【図面の簡単な説明】
【００７２】
【図１】図１は、本発明の第１の実施態様を示した概略図である。
【図２】図２は、本発明の第２の実施態様を示した概略図である。
【図３】図３は、本発明の好ましい態様に従った内部サーバー構造の間での相互作用を示した概略図である。
【図１】
2006527869.tif 000003
【図２】
2006527869.tif 000004
【図３】
2006527869.tif 000005
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
スポーツ競技の結果に投資された賭けの情報のセットにおける変化をモニタリングする方法であって：
ａ．本人がリアルタイム活動サービスを提供するプロバイダーと契約を結び、本人が警告されることを欲する情報の少なくとも１つについて情報セットについての少なくとも１つを規定するステップ；
ｂ．サービスプロバイダーが少なくとも１台のコンピューターを使用して本人の少なくとも１つのパラメータに従ってリアルタイムであらかじめ決められた情報セットをモニタリングするステップ；および
ｃ．サービスプロバイダーが本人の少なくとも１つのパラメータに従った少なくとも１つの変化が起きた時、リモートコミニケーション装置（ＲＣＤ）を経由して本人へリアルタイム警告メッセージを提供するステップ；
からなる方法。
【請求項２】
サービスプロバイダーは賭け活動をモニターするため集計エージェンシーのデーターベースを利用する請求項１に記載の方法。
【請求項３】
リアルタイムモニタリングおよび警告メッセージは、本人の少なくとも１つのパラメータに関するスポーツ競技の結果が出る前に起こる請求項１に記載の方法。
【請求項４】
リモートコミニケーション装置（ＲＣＤ）は、本人の固定または移動電話機、パーソルコンピューター、ファクシミリ、または本人のページャーよりなる請求項１に記載の方法。
【請求項５】
本人のＲＣＤは、入力指令に応答してサービスプロバイダーのコンピューターシステムのネットワーク上で動いているソフトウェア環境へ入力指令を送ることができるソフトウェアコンポーネントを有しており、該ソフトウェア環境は該コマンドを処理しそしてサーバー構造へ局所出力指令を発することによって応答するソフトウェア環境コンポートネントへ局所入力指令を送り、該ソフトウェア環境コンポーネントは本人のＲＣＤへリモート出力指令を送り、そしてリモート出力指令に応答して本人のＲＣＤが警告出力を発生または表示する請求項１の方法。
【請求項６】
本人は警告メッセージを発すべき状況のパラメータを規定することができる請求項１に記載の方法。
【請求項７】
サービスプロバイダーは、スポーツ競技に投資された賭けの情報セットをモニターするためのコンピューターまたはコンピューターシステムのネットワークを使用する請求項１に記載の方法。
【請求項８】
該ネットワークは、スポーツ競技の結果に投資された賭けのリアルタイム情報セットを含んでいる、賭けエージェンシーデータサーバーへ情報を送りおよびそれから情報を受取るように適応している請求項６に記載の方法。
【請求項９】
どのコンピューターへもデータを提供することを目的とする少なくとも１つの歴史サーバーを提供するステップをさらに含み、該歴史サーバーは外部ソースからデータを２回以上要求する必要が決してないようにすべての情報セットが利用可能になった時それらをスキャニングし、該歴史サーバーは同じ情報を多数回要求する必要性を防止するため該データをデータベースに貯える請求項１に記載の方法。
【国際調査報告】
2006527869.tif 000006
2006527869.tif 000007
2006527869.tif 000008
2006527869.tif 000009